(57)【特許請求の範囲】
【請求項１】
アニール又は延伸処理したポリカーボネートからなる保護層（２）（５）と、アニール又は延伸処理をしていないポリカーボネートからなる未処理層（６）とを備え、保護層（２）と保護層（５）との間に偏光膜（３）が介在され、
前記偏光膜（３）を挟む一対の保護層（２）（５）のうち一方の保護層（５）側に、未処理層（６）が設けられ、未処理層（６）は、前記一方の保護層（５）と一体化されていることを特徴とするポリカーボネート製偏光板を利用した眼鏡用偏光レンズ。
【請求項２】
前記未処理層（６）が、度を生じさせるべく研磨されていることを特徴とする請求項１に記載のポリカーボネート製偏光板を利用した眼鏡用偏光レンズ。
【請求項３】
前記未処理層（６）が前記一方の保護層（５）及び他方の保護層（２）よりも厚く形成されていることを特徴とする請求項１又は２に記載のポリカーボネート製偏光板を利用した眼鏡用偏光レンズ。
【発明の詳細な説明】
【０００１】
【産業上の利用分野】
本発明は、ポリカーボネート製偏光板を利用した眼鏡用偏光レンズに関するものである。
【０００２】
【従来の技術】
従来の偏光レンズや偏光シートは、図５に示すように、保護材３１，３２間に偏光膜３３を介在して張り合わせたものであるが、この種の偏光レンズや偏光シートでは、保護材３１，３２をガラスで構成した場合、該保護材３１，３２をアニールし、保護材３１，３２をプラスチックで構成した場合、該保護材３１，３２を延伸して、内部応力を緩和させた素材を使うのが一般的である。
また、熱硬化樹脂であるＣＲ−３９製の偏光レンズでは、図６に示すように、トリアセテートを基材３１，３２とした偏光シートを熱曲げ加工した後、キャスティングのガラス型に入れて長時間かけて硬化一体化させ、ＣＲ−３９に内部応力を残存しないように作られている。なお、保護材３１，３２がポリカーボネートの場合は、図５に説明したものが現在市販されている。
【０００３】
【発明が解決しようとする課題】
ところが、現在市販されているポリカーボネートの偏光レンズ、偏光シートは、厚さＴが１．５ｍｍが最大で、ポリカーボネートは耐衝撃性に優れているものの、現在の激しい動きが求められるスポーツ、特にアウトドアスポーツにおいては市販されている厚さ１．５ｍｍ以上の偏光ポリカーボネートレンズが必要とされている。
更に、眼鏡をかけている人がアウトドアスポーツを行う場合、視力矯正用のポリカーボネート偏光レンズがなく、現在かけている眼鏡に前掛等を付けて使用する場合が多く、煩わしくなる等の問題もあった。
【０００４】
本発明は、かかる従来の課題に鑑み、耐衝撃性に優れると共に、別の眼鏡を併用することなく視力矯正することが可能な眼鏡用偏光レンズを製造することができるポリカーボネート製偏光板を利用した複合成形物を提供することを目的とする。
【０００５】
【課題を解決するための手段】
この技術的課題を解決する本発明の第一の技術手段は、アニール又は延伸処理したポリカーボネートからなる保護層２，５と、アニール又は延伸処理をしていないポリカーボネートからなる未処理層６とを備え、保護層２と保護層５との間に偏光膜３が介在され、
前記偏光膜３を挟む一対の保護層２，５のうち一方の保護層５側に、未処理層６が設けられ、未処理層６は、前記一方の保護層５と一体化されている点にある。
本発明の第二の技術手段は、前記未処理層６が、度を生じさせるべく研磨されいる点にある。
【０００６】
本発明の第三の技術手段は、前記未処理層６が前記一方の保護層（５）及び他方の保護層２よりも厚く形成されている点にある。
【０００７】
【作用】
未処理層６の内面側を研磨することができ、視力に応じたレンズが広範囲に製作可能になる。また、レンズ４は未処理層６はアニール処理の必要がないため、コスト安になし得るし、また未処理層６は偏光膜３の内面側に位置させることにより、レンズ４が未処理層６を含んでいても偏光膜による不都合を生じることもない。
【０００８】
【実施例】
以下、本発明の実施例を図面に基づいて説明する。
図１において、１はポリカーボネート製偏光板を利用した複合成形物で、保護層２，５と偏光膜３と未処理層６とを積層状に備える。
保護層２，５はアニール又は延伸処理したポリカーボネートからなる。レンズ４は保護層２，５と未処理層６とを有し、保護層５は、保護層２と同様にアニール又は延伸処理したポリカーボネートからなる。未処理層６は、射出成形したままでアニール又は延伸処理等の内部応力が緩和をしていないポリカーボネートからなる。未処理層６は、保護層５の内面側に射出成形圧着されている。保護層２と保護層５とは同一厚みである。
【０００９】
偏光膜３は、保護層２と保護層５との間に介在されて保護層２及び保護層５に夫々接着され、これにより保護層２と、保護層５と一体化した未処理層６とは偏光膜３を挟んで重合状に積層されている。
次に、複合成形物１の保護層２，５をアニール又は延伸処理したポリカーボネートにて構成し、また未処理層６を設けると共に未処理層６の厚みを保護層２，５の厚みよりも大に形成した理由を説明する。
図３は物体の内部応力を可視化して観測する場合に利用される方法の略図で、光源９と被検物１０の間に、偏光性をもった偏光物体（例えば偏光シート）１１を置き、さらに被検物１０と観測者の間に、偏光性をもった偏光物体１２を置き、この偏光物体１２の偏光軸が前記偏光物体１１の偏光軸と直角になるように配置し、この偏光物体１２を通して被検物１０側を見ると、被検物１０の内部応力が見える。これは被検物１０の光弾性試験に使われる方法である。
【００１０】
そして、図４に示すように、歪みのある基材１５を偏光シート１６の前方に置き、偏光シート１６を通して基材１５を見ると、青空や均一な曇り空或いは金属面以外の反射光線等からの偏光成分を含んだ光によって、上記被検物１０の光弾性試験の場合と同様の効果により、内部応力が可視化され視界の妨げになるだけではなく、偏光レンズの所謂色抜け（レンズの色が部分によって色むらを生じる）を生じてしまう。
そこで、この点に着目し上記複合成形物１を完成したもので、偏光膜３の一方側（前方側）の保護層２をアニール又は延伸処理等で内部応力を緩和したポリカーボネートにて構成して、内部応力が可視化され視界の妨げにならないようにすると共に、色むらが生じないようにし、また未処理層６の厚みを保護層２，５の厚みよりも大に形成して、充分な厚みを研磨可能にし、これにより次のような作用効果を持たせたのである。
【００１１】
（１）レンズの厚みが厚く作れるため、耐衝撃性に優れる
（２）視力に応じた内面研磨ができ広範囲な度数のレンズを製作可能
（３）視界良好（残留内部応力が見えない）
（４）内側は延伸またはアニール未処理によりコスト安であり、また同処理に伴      う問題を生じない
上記複合成形物１から眼鏡用偏光レンズを製造するには、複合成形物１の未処理層６の内面側を図１に鎖線で示す如く研磨すればよく、図２に示す如く眼鏡用偏光レンズ７を簡単に製造することができる。
【００１２】
【発明の効果】
本発明によれば、アニール又は延伸処理したポリカーボネートからなる保護層２，５と、アニール又は延伸処理をしていないポリカーボネートからなる未処理層６とを備え、保護層２と未処理層５との間に偏光膜３が介在されているので、未処理層６を保護層２よりも厚く形成することが可能になり、未処理層６を、保護層２，５の厚みよりも厚く形成することにより、強度を増加させて、耐衝撃性に優れたものとし、安全性を高めることが可能になるし、また別の眼鏡を併用することなく視力矯正することが可能な眼鏡用偏光レンズを簡単に製造することもできる。
【００１３】
また、本発明によれば、アニール又は延伸処理したポリカーボネートからなる保護層２、保護層５と、射出成形したままでアニール又は延伸処理をしていないポリカーボネートからなる未処理層６を含むレンズ４とが、偏光膜３を挟んで重合状に積層され、前記未処理層６の厚さが保護層２，５の厚さよりも大に形成されているので、視力に応じた研磨が広範囲に可能であって、視界も良好になる。また内側は延伸またはアニール未処理によりコスト安になし得るし、また同処理に伴う問題を生じない。従って、耐衝撃性に優れると共に、別の眼鏡を併用することなく視力矯正することが可能な眼鏡用偏光レンズを簡単に製造することもできる。
【図面の簡単な説明】
【図１】  本発明の一実施例を示す断面図である。
【図２】  複合成形物により製造した眼鏡用偏光レンズの断面図である。
【図３】  作用説明用の構成図である。
【図４】  作用説明用の構成図である。
【図５】  従来例を示す断面図である。
【図６】  他の従来例を示す断面図である。
【符号の説明】
１    複合成形物
２    保護層
３    偏光膜
４    レンズ
５    保護層
６    未処理層
【図１】
0003681965.tif 000002
【図２】
0003681965.tif 000003
【図３】
0003681965.tif 000004
【図４】
0003681965.tif 000005
【図５】
0003681965.tif 000006
【図６】
0003681965.tif 000007